(57)【特許請求の範囲】
【請求項１】
連絡先により送信されたメディア情報を受信するステップと、
前記メディア情報のキー特性を抽出するステップと、
キー特性と連絡先属性の間の事前記憶された対応関係に従って、前記メディア情報の前記キー特性に対応する連絡先属性を検索するステップと、
前記キー特性に対応する前記連絡先属性が見出されたときに、前記見出された連絡先属性に対応するグループに前記連絡先をグルーピングするステップと
を含み、
前記メディア情報が音声情報を含み、
前記連絡先属性が、性別、年齢範囲、およびアクセントのうちの少なくとも1つを含み、前記メディア情報のキー特性を抽出する前記ステップが、前記音声情報を音声信号に変換し、前記音声信号の周波数を前記メディア情報の前記キー特性として抽出することを含む連絡先グルーピング方法。
【請求項２】
前記連絡先属性が、趣味および習慣のうちの少なくとも1つを含み、前記メディア情報のキー特性を抽出する前記ステップが、前記音声情報中のキーワードを前記メディア情報の前記キー特性として抽出することを含む、請求項1に記載の連絡先グルーピング方法。
【請求項３】
前記メディア情報の前記キー特性に対応する連絡先属性を検索する前記ステップの前に、前記方法が、
キー特性と連絡先属性の間の前記対応関係を設定するステップをさらに含む、請求項1または2に記載の連絡先グルーピング方法。
【請求項４】
前記メディア情報の前記キー特性に対応する連絡先属性が見出されないときに、前記メディア情報の前記キー特性と前記連絡先属性との間の対応関係を作成するステップをさらに含む、請求項1から3のいずれか一項に記載の連絡先グルーピング方法。
【請求項５】
連絡先により送信されたメディア情報を受信するステップと、
前記メディア情報のキー特性を抽出するステップと、
キー特性と連絡先属性の間の事前記憶された対応関係に従って、前記メディア情報の前記キー特性に対応する連絡先属性を検索するステップと、
前記キー特性に対応する前記連絡先属性が見出されたときに、前記見出された連絡先属性に対応するグループに前記連絡先をグルーピングするステップと
を含み、
前記メディア情報が画像情報を含み、前記連絡先属性が、趣味および習慣のうちの少なくとも1つを含み、前記メディア情報のキー特性を抽出する前記ステップが、前記画像情報の色特性、テクスチャ特性、形状特性、および空間関係特性のうちの1つ以上を前記メディア情報の前記キー特性として抽出することを含む連絡先グルーピング方法。
【請求項６】
連絡先により送信されたメディア情報を受信するように構成された受信モジュールと、
前記受信モジュールに接続され、前記メディア情報のキー特性を抽出するように構成された抽出モジュールと、
前記抽出モジュールに接続され、キー特性と連絡先属性の間の事前記憶された対応関係に従って、前記メディア情報の前記キー特性に対応する連絡先属性を検索するように構成された検索モジュールと、
前記検索モジュールに接続され、前記メディア情報の前記キー特性に対応する前記連絡先属性が存在することを前記検索モジュールが見出したときに、前記見出した連絡先属性に対応するグループに前記連絡先をグルーピングするように構成されたグルーピングモジュールと
を備え、前記受信モジュールにより受信される前記メディア情報が音声情報を含み、
前記連絡先属性が、性別、年齢範囲、およびアクセントのうちの少なくとも1つを含み、前記抽出モジュールが、
前記音声情報を音声信号に変換するように構成された変換ユニットと、
前記音声信号の周波数を前記メディア情報の前記キー特性として抽出するように構成された周波数抽出ユニットと
を備える連絡先グルーピング装置。
【請求項７】
前記連絡先属性が、趣味および習慣のうちの少なくとも1つを含み、前記抽出モジュールが、具体的に、前記音声情報中のキーワードを前記メディア情報の前記キー特性として抽出するように構成される、請求項6に記載の連絡先グルーピング装置。
【請求項８】
前記検索モジュールに接続され、前記メディア情報の前記キー特性に対応する連絡先属性が存在するかどうかを前記検索モジュールが検索する前に、キー特性と連絡先属性の間の前記対応関係を設定するように構成された設定モジュールをさらに備える、請求項6または7に記載の連絡先グルーピング装置。
【請求項９】
前記検索モジュールに接続され、前記メディア情報の前記キー特性に対応する連絡先属性が存在しないことを前記検索モジュールが見出したときに、前記メディア情報の前記キー特性と前記連絡先属性との間の対応関係を作成するように構成された作成モジュールをさらに備える、請求項6から8のいずれか一項に記載の連絡先グルーピング装置。
【請求項１０】
連絡先により送信されたメディア情報を受信するように構成された受信モジュールと、
前記受信モジュールに接続され、前記メディア情報のキー特性を抽出するように構成された抽出モジュールと、
前記抽出モジュールに接続され、キー特性と連絡先属性の間の事前記憶された対応関係に従って、前記メディア情報の前記キー特性に対応する連絡先属性を検索するように構成された検索モジュールと、
前記検索モジュールに接続され、前記メディア情報の前記キー特性に対応する前記連絡先属性が存在することを前記検索モジュールが見出したときに、前記見出した連絡先属性に対応するグループに前記連絡先をグルーピングするように構成されたグルーピングモジュールと
を備え、
前記受信モジュールにより受信される前記メディア情報が画像情報を含み、前記連絡先属性が、趣味および習慣のうちの少なくとも1つを含み、前記抽出モジュールが、具体的に、前記画像情報の色特性、テクスチャ特性、形状特性、および空間関係特性のうちの1つ以上を前記メディア情報の前記キー特性として抽出するように構成される、連絡先グルーピング装置。
【発明の詳細な説明】
【技術分野】
【０００１】
本発明は、通信分野に関し、特に連絡先グルーピング方法および装置に関する。
【背景技術】
【０００２】
現在、各種の通信ツールまたは通信アプリケーションが人々の日常の生活および仕事で益々重要な役割を果たしている。しかし、アドレス帳が各種の通信ツールまたは通信アプリケーションの基本機能である。連絡先の数が増えると、ユーザのための連絡先の効果的な管理が重要な要件となる。例えば、連絡先グルーピングに基づいてアプリケーション上で共有操作を実施することによって、受信情報の対象層を正確に探すことができる。したがって、アドレス帳内の連絡先をいかに素早くグルーピングするかが、解決すべき喫緊の課題となる。
【０００３】
先行技術では、連絡先が大抵手動でグルーピングされるか、あるいは苗字または名前イニシャルによる自動グルーピングおよびソーティングのみがサポートされ、手動操作は、複雑であり時間を要する。加えて、単一の属性のみによる検索またはお気に入りへの追加がサポートされており、検索には時間も要する。
【発明の概要】
【課題を解決するための手段】
【０００４】
このことをふまえて、各種の通信ツールまたは通信アプリケーションのアドレス帳内の連絡先をいかに自動かつ正確にグルーピングするかが、本発明で解決すべき技術的課題である。
【０００５】
前述の課題を解決するために、本発明のある実施形態の第1の態様は、
連絡先により送信されたメディア情報を受信するステップと、
メディア情報のキー特性を抽出するステップと、
キー特性と連絡先属性の間の事前記憶された対応関係に従って、メディア情報のキー特性に対応する連絡先属性を検索するステップと、
メディア情報のキー特性に対応する連絡先属性が見出された場合に、見出された連絡先属性に対応するグループに連絡先をグルーピングするステップと
を含む、連絡先グルーピング方法を提供する。
【０００６】
ある可能な実施様式では、メディア情報は音声情報を含む。
【０００７】
ある可能な実施様式では、連絡先属性は、性別、年齢範囲、およびアクセントのうちの少なくとも1つを含み、メディア情報のキー特性を抽出するステップは、音声情報を音声信号に変換し、音声信号の周波数をメディア情報のキー特性として抽出することを含む。
【０００８】
ある可能な実施様式では、連絡先属性は、趣味および習慣のうちの少なくとも1つを含み、メディア情報のキー特性を抽出するステップは、音声情報中のキーワードをメディア情報のキー特性として抽出することを含む。
【０００９】
ある可能な実施様式では、メディア情報はテキスト情報を含み、連絡先属性は、趣味および習慣のうちの少なくとも1つを含み、メディア情報のキー特性を抽出するステップは、テキスト情報中のキーワードをメディア情報のキー特性として抽出することを含む。
【００１０】
ある可能な実施様式では、メディア情報は画像情報を含み、連絡先属性は、趣味および習慣のうちの少なくとも1つを含み、メディア情報のキー特性を抽出するステップは、画像情報の色特性、テクスチャ特性、形状特性、および空間関係特性のうちの1つ以上をメディア情報のキー特性として抽出することを含む。
【００１１】
ある可能な実施様式では、方法は、メディア情報のキー特性に対応する連絡先属性を検索するステップの前に、
キー特性と連絡先属性の間の対応関係を設定するステップをさらに含む。
【００１２】
ある可能な実施様式では、方法は、
メディア情報のキー特性に対応する連絡先属性が見出されない場合に、メディア情報のキー特性と連絡先属性との間の対応関係を作成するステップをさらに含む。
【００１３】
前述の課題を解決するために、本発明のある実施形態の第2の態様は、連絡先グルーピング装置を提供し、装置は、
連絡先により送信されたメディア情報を受信するように構成された受信モジュールと、
受信モジュールに接続され、メディア情報のキー特性を抽出するように構成された抽出モジュールと、
抽出モジュールに接続され、キー特性と連絡先属性の間の事前記憶された対応関係に従って、メディア情報のキー特性に対応する連絡先属性が存在するかどうかを検索するように構成された検索モジュールと、
検索モジュールに接続され、メディア情報のキー特性に対応する連絡先属性が存在することを検索モジュールが見出したときに、連絡先属性に対応するグループに連絡先をグルーピングするように構成されたグルーピングモジュールとを備える。
【００１４】
ある可能な実施様式では、受信モジュールにより受信されるメディア情報は音声情報を含む。
【００１５】
ある可能な実施様式では、連絡先属性は、性別、年齢範囲、およびアクセントのうちの少なくとも1つを含み、抽出モジュールは、
音声情報を音声信号に変換するように構成された変換ユニットと、
音声信号の周波数をメディア情報のキー特性として抽出するように構成された周波数抽出ユニットとを含む。
【００１６】
ある可能な実施様式では、連絡先属性は、趣味および習慣のうちの少なくとも1つを含み、抽出モジュールは、具体的に、音声情報中のキーワードをメディア情報のキー特性として抽出するように構成される。
【００１７】
ある可能な実施様式では、受信モジュールにより受信されるメディア情報はテキスト情報を含み、連絡先属性は、趣味および習慣のうちの少なくとも1つを含み、抽出モジュールは、具体的に、テキスト情報中のキーワードをメディア情報のキー特性として抽出するように構成される。
【００１８】
ある可能な実施様式では、受信モジュールにより受信されるメディア情報は画像情報を含み、連絡先属性は、趣味および習慣のうちの少なくとも1つを含み、抽出モジュールは、具体的に、画像情報の色特性、テクスチャ特性、形状特性、および空間関係特性のうちの1つ以上をメディア情報のキー特性として抽出するように構成される。
【００１９】
ある可能な実施様式では、装置は、
検索モジュールに接続され、メディア情報のキー特性に対応する連絡先属性が存在するかどうかを検索モジュールが検索する前に、キー特性と連絡先属性の間の対応関係を設定するように構成された設定モジュールをさらに含む。
【００２０】
ある可能な実施様式では、装置は、
検索モジュールに接続され、メディア情報のキー特性に対応する連絡先属性が存在しないことを検索モジュールが見出したときに、メディア情報のキー特性と連絡先属性との間の対応関係を作成するように構成された作成モジュールをさらに含む。
【００２１】
キー特性と連絡先属性の間の対応関係が事前記憶され、対応関係に基づいて、連絡先属性は、通信プロセス中に受信されたメディア情報のキー特性に従って決定される。さらに、連絡先属性に従って、対応するグループに連絡先がグルーピングされる。本発明の実施形態の連絡先グルーピング方法および装置によると、各種の通信ツールまたは通信アプリケーションのアドレス帳内の連絡先を自動かつ正確にグルーピングすることができ、ユーザが情報を一括送信または共有するために通信ツールまたはアプリケーションを使用するとき、対象グループ内の連絡先をグループに従って的確に選択することによって、間違った情報の配送、情報の氾濫、および対象となる連絡先以外に関するトラフィックの浪費を回避することができる。
【００２２】
添付の図面を参照しての例示的な実施形態の詳細な説明によって、本発明の他の特徴および態様がより明らかになる。
【００２３】
本明細書に含まれるとともに本明細書の一部を成す添付の図面は、本明細書と一緒に、本発明の例示的な実施形態、特徴、および態様を示し、本発明の原理を説明するために使用される。
【図面の簡単な説明】
【００２４】
【図１】図1は、本発明のある実施形態による連絡先グルーピング方法のフローチャートを示す。
【図２】図2は、本発明の別の実施形態による連絡先グルーピング方法のフローチャートを示す。
【図３】図3は、本発明のある実施形態による連絡先グルーピング装置の概略構成図を示す。
【図４】図4は、本発明の別の実施形態による連絡先グルーピング装置の概略構成図を示す。
【図５】図5は、本発明のまた別の実施形態による連絡先グルーピング装置の概略構成図を示す。
【図６】図6は、ユーザ端末の概略構成図を示す。
【発明を実施するための形態】
【００２５】
以下では、添付の図面を参照して本発明の各種の例示的な実施形態、特徴、および態様を詳細に記述する。添付の図面中の同じ参照数字は、同じまたは同様な機能を有する構成要素を示す。実施形態の各種の態様が添付の図面に示されるが、特に指定しない限り、添付の図面は、必ずしも縮尺通りに描かれていない。
【００２６】
ここで、専門用語「例示的な」は、「一例もしくは実施形態として役立つこと、または例示していること」を意味する。ここで、「例示的な」様式で記述する任意の実施形態は、他の実施形態よりも優れるかまたはより良いとは必ずしも解釈されない。
【００２７】
加えて、本発明をより良く記述するために、以下の具体的な実施様式では、多くの詳細が与えられる。当業者は、詳細の一部を伴わずに本発明を実施できることを理解すべきである。一部の実施形態では、当業者にとって周知である方法、手段、構成要素、および回路については、本発明の本質を強調するために、詳細に記述しない。
【００２８】
本発明の実施形態で提供される連絡先グルーピング方法は、連絡先を素早く検索し、対象となる様式で情報を共有または収集するように、各種の通信ツールまたは通信アプリケーションのアドレス帳内の連絡先を自動かつ正確にグルーピングするために適用され得る。ある可能な実施様式では、本発明の実施形態は、携帯電話もしくはタブレットなどのユーザ端末により、またはパーソナルコンピュータなどの演算デバイスにより実施され得る。本発明の実施形態は、携帯端末のアドレス帳グルーピングを典型的な適用シナリオとして使用して、本発明の解決策を詳細に記述する。
【００２９】
まず、図6は、ユーザ端末の概略構成図を示す。図6に示すように、端末500は、無線周波数（Radio Frequency、RF）回路510、メモリ520、入力ユニット530、WiFi（wireless fidelity、Wi-Fi）モジュール570、表示ユニット540、センサ550、オーディオ回路560、プロセッサ580、カメラ590、および他の構成要素を含む。
【００３０】
当業者は、図6に示す端末500の構成が端末500に関するいかなる限定も成しておらず、端末500は、図に示す構成要素よりも多いかまたは少ない構成要素を含んでもよく、一部の構成要素を組み合わせてもよく、構成要素の異なる配置を有してもよいことを理解し得る。
【００３１】
RF回路510は、情報の送受信プロセスまたは呼出し中に信号を送受信するように、特に、基地局のダウンリンク情報を受信し、次いでダウンリンク情報を処理のためにプロセッサ580に送信し、アップリンクデータを基地局に送信するように構成され得る。一般に、RF回路は、非限定的に、アンテナ、少なくとも1つのアンプ、トランシーバ、カプラ、低ノイズアンプ（Low Noise Amplifier、LNA）、デュプレクサその他を含む。加えて、RF回路510は、無線通信を用いてネットワークまたは別のデバイスとも通信し得る。前述の無線通信は、任意の通信規格またはプロトコルを使用し得、それは、非限定的に、汎欧州デジタル移動電話方式通信（Global System of Mobile communications、GSM(登録商標)）、汎用パケット無線サービス（General Packet Radio Service、GPRS）、符号分割多重アクセス方式（Code Division Multiple Access、CDMA）、広帯域符号分割多重アクセス方式（Wideband Code Division Multiple Access、WCDMA(登録商標)）、ロングタームエボリューション（Long Term Evolution、LTE）、電子メール、およびショートメッセージサービス（Short Message Service、SMS）を含む。
【００３２】
メモリ520は、ソフトウェアプログラムおよびモジュールを記憶するように構成され得、プロセッサ580は、メモリ520に記憶されたソフトウェアプログラムおよびモジュールを起動することによって、端末500の各種の機能アプリケーションおよびデータ処理を実行する。メモリ520は、プログラム記憶エリアおよびデータ記憶エリアを主に含み得、ここで、プログラム記憶エリアは、オペレーティングシステム、少なくとも1つの機能により必要とされるアプリケーション（音響再生機能および画像再生機能など）その他を記憶し得る。データ記憶エリアは、端末500の使用により作り出されたデータ（オーディオデータおよび電話帳など）その他を記憶し得る。加えて、メモリ520は、高速ランダムアクセスメモリを含み得、ディスク記憶デバイス、フラッシュメモリデバイスなどの不揮発性メモリ、または別の揮発性ソリッドステートメモリデバイスをさらに含み得る。
【００３３】
入力ユニット530は、数字または文字入力情報を受け、端末500のユーザ設定および機能制御に関連するキー信号入力を生成するように構成され得る。具体的に、入力ユニット530は、タッチパネル531および別の入力デバイス532を含み得る。タッチパネル531は、タッチスクリーンとも呼ばれ、タッチパネル531の上または近くでのユーザのタッチ操作を収集し（例えば、指またはスタイラスなどの任意の適当な物体またはアクセサリを使用してのタッチパネル531の上またはタッチパネル531の近くでのユーザの操作）、プリセットプログラムに従って対応する接続装置を駆動し得る。任意選択的に、タッチパネル531は、タッチ検出装置およびタッチコントローラの2つの部品を含み得る。タッチ検出装置は、ユーザのタッチ方向を検出し、タッチ操作によりもたらされた信号を検出し、信号をタッチコントローラに送出し、タッチコントローラは、タッチ検出装置からのタッチ情報を受信し、タッチ情報をタッチポイント座標に変換し、タッチポイント座標をプロセッサ580に送信し、プロセッサ580から送信されたコマンドを受信し、コマンドを実行することができる。加えて、タッチパネル531は、抵抗式、容量式、赤外線式、および表面弾性波式などの複数のタイプで実施され得る。入力ユニット530は、タッチパネル531に加えて別の入力デバイス532をさらに含み得る。具体的に、別の入力デバイス532は、非限定的に、物理的なキーボード、機能キー（ボリューム調節キー、スイッチキーなど）、トラックボール、マウス、およびジョイスティックのうちの1つ以上を含み得る。
【００３４】
表示ユニット540は、ユーザにより入力された情報、またはユーザに提供される情報、端末の各種のメニューを表示するように構成され得る。表示ユニット540は、表示パネル541を含み得る。任意選択的に、表示パネル541は、液晶ディスプレイ（Liquid Crystal Display、LCD）、または有機発光ダイオード（Organic Light−Emitting Diode、OLED）などの形態で構成され得る。さらに、タッチパネル531は、表示パネル541をカバーし得る。タッチパネル531の上または近くでのタッチ操作を検出した後、タッチパネル531は、タッチイベントのタイプを決定するためにタッチ操作をプロセッサ580に伝達し、次いで、プロセッサ580は、タッチイベントのタイプに従って対応する視覚的出力を表示パネル541に提供する。図5では、タッチパネル531および表示パネル541が、端末の入力および出力機能を実施するために2つの独立した構成要素として機能するが、一部の実施形態では、タッチパネル531および表示パネル541は、端末500の入力および出力機能を実施するために統合されてもよい。
【００３５】
端末500は、光センサ、運動センサ、および他のセンサなどの少なくとも1つのセンサ550をさらに含み得る。具体的に、光センサは、周辺光センサおよび近接センサを含み得、ここで、周辺光センサは、周辺光線の明るさに従って表示パネル541の輝度を調節し得、近接センサは、端末500が耳に接近するときに表示パネル541および／またはバックライトを停止させ得る。運動センサの1タイプとして、加速度センサは、各方向（一般に3軸）の加速度値を検出することができ、静止しているときの重力の値および方向を検出することができ、端末姿勢を認識するための用途（横向きと縦向きの間の切替、ゲーム関連、磁力計姿勢キャリブレーションなど）、振動認識関連機能（歩数計およびノックなど）その他に適用され得る。ジャイロスコープ、気圧計、湿度計、温度計、および赤外線センサなど、端末上に構成され得る他のセンサの詳細については、本明細書では再び記述しない。
【００３６】
オーディオ回路560、スピーカ561、およびマイクロフォン562は、ユーザと端末の間のオーディオインターフェイスを提供し得る。オーディオ回路560は、受信されたオーディオデータから変換された電気信号をスピーカ561に送出し得、スピーカ561は、電気信号を出力用の音響信号に変換し、別の態様では、マイクロフォン562は、収集された音響信号を電気信号に変換し、オーディオ回路560は、電気信号を受信し電気信号をオーディオデータに変換し、次いで、処理後のオーディオデータを、例えば、RF回路510を通じて別の端末に送信するか、またはオーディオデータをさらなる処理のためにメモリ520に出力するように、オーディオデータを処理のためにプロセッサ580に出力する。
【００３７】
Wi-Fiは短距離無線伝送技術に属する。Wi-Fiモジュール570を使用して、端末は、ユーザが電子メールを送受信すること、ウェブページを閲覧すること、ストリーミングメディアを訪れること、その他を補助することができる。Wi-Fiは、インターネットへの無線ブロードバンドアクセスをユーザに提供する。図6がWi-Fiモジュール570を示すが、Wi-Fiモジュール570は、端末500の必須構成要素ではなく、本発明の本質を変更しない要件によっては、省略されてもよいことが理解され得る。プロセッサ580は、端末の制御センターであり、各種のインターフェイスおよびラインを使用して端末全体の各部品に接続され、端末500の全般的な監視を実施するように、メモリ520に記憶されたソフトウェアプログラムおよび／またはモジュールを起動または実行し、メモリ520に記憶されたデータを呼び出すことによって、端末500の各種の機能を実施しデータを処理する。任意選択的に、プロセッサ580は、1つ以上の処理ユニットを含み得、好ましくは、アプリケーションプロセッサおよびモデムプロセッサは、プロセッサ580に統合され得、ここで、アプリケーションプロセッサは、オペレーティングシステム、ユーザインターフェイス、アプリケーションその他を主に処理し、モデムプロセッサは、無線通信を主に処理する。
【００３８】
モデムプロセッサがプロセッサ580に統合されなくてもよいことが理解され得る。
【００３９】
端末500は、電力を各構成要素に供給する電源（バッテリなど）をさらに含む。
【００４０】
好ましくは、電源は、電源管理システムを使用して充電管理、放電管理、および電力消費管理などの機能を実施するように、電源管理システムを使用してプロセッサ580に論理的に接続され得る。示していないが、端末500には、ブルートゥース(登録商標)モジュールその他がさらに含まれてもよく、本明細書では詳細について再び記述しない。
【００４１】
前述の適用シナリオの説明に基づいて、本発明による連絡先グルーピング方法を以下に記述する。図1に示すように、方法は、以下を含む。
【００４２】
ステップS101：ユーザ端末が連絡先により送信されたメディア情報を受信する。
【００４３】
本発明の一部の実施形態では、端末500が、連絡先により送信されたメディア情報を受信するために入力ユニット530を使用する。もちろん、メディア情報は、入力ユニットを使用して受信される場合に限定されず、（認証要求がオーディオ形態である場合）オーディオ回路560を使用して受信されてもよく、RF回路510またはWi-Fiモジュール570を使用して受信されてもよく、そのことは、本発明により特に限定されない。
【００４４】
ステップS102：ユーザ端末は、メディア情報のキー特性を抽出する。
【００４５】
ある可能な実施様式では、メディア情報が通信プロセス中に送信された音声情報を含むとき、音声情報は、フーリエ変換（Fourier Transformation、FT）を用いて音声信号に変換され、音声信号の周波数がキー特性として抽出されるか、または音声信号中のキーワードがキー特性として抽出され、ここで、キーワードは、頻繁に出現する語であり得る。メディア情報が通信プロセス中に送信されたテキスト情報を含むとき、テキスト情報中のキーワードがキー特性として抽出され、ここで、キーワードは、高い出現頻度で出現する語であり得る。メディア情報が通信プロセス中の画像情報を含むとき、連絡先により送信された画像情報の色特性、テクスチャ特性、形状特性、および空間関係特性のうちの1つ以上がキー特性として抽出される。
【００４６】
ステップS103：キー特性と連絡先属性の間の事前記憶された対応関係に従って、ユーザ端末は、メディア情報のキー特性に対応する連絡先属性が存在するかどうかを検索する。
【００４７】
ある可能な実施様式では、音声信号の周波数に従って、およびキー特性と連絡先属性の間の事前記憶された対応関係に基づいて、音声信号の周波数に対応する性別、年齢範囲、またはアクセントなどの連絡先属性が存在するかどうかが検索され、ここで、連絡先属性は、性別、年齢範囲、およびアクセントのうちの少なくとも1つを含む。音声情報中のキーワードに従って、およびキー特性と連絡先属性の間の事前記憶された対応関係に基づいて、音声情報中のキーワードに対応する気質または習慣などの連絡先属性が存在するかどうかが検索され、ここで、連絡先属性は、趣味および習慣のうちの少なくとも1つを含む。高い頻度で出現する語などのテキスト情報中のキーワードに従って、およびキー特性と連絡先属性の間の事前記憶された対応関係に基づいて、テキスト情報中のキーワードに対応する趣味または習慣などの連絡先属性が存在するかどうかが検索され、ここで、連絡先属性は、趣味および習慣のうちの少なくとも1つを含む。画像情報のキー特性に従って、およびキー特性と連絡先属性の間の事前記憶された対応関係に基づいて、画像情報のキー特性に対応する趣味または習慣などの連絡先属性が存在するかどうかが検索され、ここで、連絡先属性は、趣味および習慣のうちの少なくとも1つを含む。本発明の実施形態では、連絡先属性が連絡先の性別、年齢範囲、アクセント、趣味、または習慣である一例が使用される。当業者は、本発明の実施形態に記述する連絡先グルーピング方法が、キー特性と上に列挙した連絡先属性以外の別の連絡先属性との間の対応関係を事前記憶することにより実施されてもよいことを理解すべきである。
【００４８】
ステップS104：メディア情報のキー特性に対応する連絡先属性が存在する場合、見出された連絡先属性に従って属性に対応するグループに連絡先をグルーピングする。
【００４９】
ある可能な実施様式では、連絡先は、性別、年齢、アクセント、気質、趣味、または習慣などの連絡先属性に従って対応するグループにグルーピングされる。例えば、性別グループが男性または女性であり、年齢グループが若年、中年、老年その他であり、アクセントグループが北京、広東、福建その他であり、気質グループが活発である、静かであるその他であり、趣味グループが旅行、読書その他であり、習慣グループが早起き、夜更かしその他である。このようにして、異なる属性に従って連絡先を異なるグループにグルーピングすることができ、1つの連絡先は、異なるグループに属し得る。
【００５０】
このようにして、対応関係に基づいてキー特性と連絡先属性の間の対応関係が事前記憶され、連絡先属性は、通信プロセス中に受信されたメディア情報のキー特性に従って決定され、さらに、連絡先属性に従って対応するグループに連絡先がグルーピングされる。本発明の実施形態の連絡先グルーピング方法によると、各種の通信ツールまたは通信アプリケーションのアドレス帳内の連絡先を自動かつ正確にグルーピングすることができ、ユーザが情報を一括送信または共有するために通信ツールまたはアプリケーションを使用するとき、対象グループ内の連絡先をグループに従って的確に選択することによって、間違った情報の配送、情報の氾濫、および対象となる連絡先以外に関するトラフィックの浪費を回避することができる。
【００５１】
図2は、本発明の別の実施形態による連絡先グルーピング方法のフローチャートを示す。簡潔さのために、図1中の構成要素と同じ参照数字および機能を有する、図2中の構成要素の詳細な説明は省略する。図2に示すように、ある可能な実施様式では、方法は、以下をさらに含む。
【００５２】
ステップS201：メディア情報のキー特性と連絡先属性との間の対応関係を設定する。
【００５３】
ある可能な実施様式では、キー特性を抽出し、識別子を構成し、音声信号の周波数と性別との間の対応関係を記憶するために使用される性別モードライブラリ、音声信号の周波数と年齢との対応関係を記憶するために使用される年齢モードライブラリ、オーディオとアクセントの間の対応関係を記憶するために使用されるアクセントモードライブラリ、キーワードと気質および趣味との間の対応関係を記憶するための趣味モードライブラリ、キーワードと習慣の間の対応関係を記憶するために使用される習慣モードライブラリその他を含む、異なる特性を伴うモードライブラリを別々に設定するために、大量のサンプルが訓練される。
【００５４】
例えば、性別モードライブラリが設定される。音声周波数に従って、例えば、音声周波数が200ヘルツから1100ヘルツの区間などの高周波数範囲にある場合、音声が女性によるものであるとみなされ、音声周波数が80ヘルツから523ヘルツの区間などの低周波数区間にある場合、音声が男性によるものであるとみなされ、連絡先の音声周波数が男性および女性の重複区間に属する場合、連絡先の性別は、ユーザ選択に従って決定され得る。別の例では、年齢モードライブラリが設定され、異なる音声周波数範囲に従って若年、中年、および老年に区分される。別の例では、北部訛、呉訛、湖南省訛、江西省訛、客家訛、北部福建訛、南部福建訛、および広東訛を含む8つの主要訛の言語資料が収集され、大量のサンプルを訓練することによりアクセントモードライブラリが設定される。アクセントモードライブラリは、発音者が静かな環境で数万の文章を1つずつ口述するときに生ずる大量の録音結果を含み、ここで、文章は、慣用句、SMSメッセージ、広告、物語、詩、天候、ニュース、講義、随筆、招待状、スピーチ、手紙、および通知などの各種のトピックを含む。
【００５５】
メディア情報のキー特性と連絡先属性との間の対応関係の設定は、クラスタリングアルゴリズムを使用しても実施され得、それは、具体的に、既存のサンプルのキー特性に従ってサンプルについて相似解析が実施され、キー特性が複数の事前設定クラスタにグルーピングされることを含む。この実施形態で使用されるクラスタリングアルゴリズムは、密度ベースアルゴリズムDBSCANおよび分割ベースアルゴリズムK−meansその他を含み得る。一例としてDBSCANアルゴリズムの使用によって、サンプル点p1、p2．．．．，pnを含むサンプル組Dが入力され、半径Eが事前設定される。一例として音声信号の周波数の使用によって、サンプル半径Eが50ヘルツであり、サンプル点p1から距離Eだけ離れたエリアがサンプル点p1のE近傍と呼ばれ、最小数MinPts（例えば5）が事前設定され、サンプル点p1のE近傍にあるサンプル点の数がMinPtsよりも多くまたはMinPtsに等しいとき、サンプル点p1がクラスタのコアオブジェクトであると事前設定される。サンプル点p2がp1のE近傍にある場合、サンプル点p2がコアオブジェクトp1から直接に密度到達可能である。さらに、piがpi−1から直接に密度到達可能であることをサンプル組Dの全てのサンプル点が満たす場合、オブジェクトpnがオブジェクトp1から密度到達可能である。全てのサンプル点が循環的に処理され、サンプルから未処理点が抽出される。抽出点がコアオブジェクトである場合、コアオブジェクトから密度到着可能である全てのオブジェクトがクラスタを形成することが見出され、ここで、クラスタは、連絡先の具体的な属性に対応する。抽出点がエッジ点（コアオブジェクト以外）である場合、このサイクルがスキップされ、全ての点が処理されるまで次の点が見出される。密度要件を満たす全てのクラスタをDBSCANアルゴリズムに従って生成することができる。異なるクラスタが、連絡先の異なる属性に対応する。本発明の実施形態によるある可能な実施様式では、メディア情報のキー特性と連絡先属性との間の対応関係は、クラスタリングアルゴリズムを使用して設定され得る。
【００５６】
ある可能な実施様式では、識別子を構成することによりキーワードと連絡先属性の間の対応関係が設定され、ここで、キーワードは、高い頻度で出現する語であり得、それは、具体的に、大量のサンプルを用意し、ここで、各サンプルがキー特性および対応する属性を有し、次いで、統計手法、機械学習、またはニューラルネットワーク法を用いてサンプルを訓練することを含む。例えば、慣用句と習慣の間の対応関係を設定するために慣用句が連絡先の習慣にリンクされ、キーワードにより表されるトピックが、トピックと連絡先の趣味との間の対応関係を設定するために連絡先の趣味にリンクされる。
【００５７】
ある可能な実施様式では、大量のサンプルが訓練され、旅行者タイプ、食道楽タイプその他の具体的な属性タイプを得るために画像情報の特性が分析され、ここで、画像情報の特性は、色特性、テクスチャ特性、形状特性、空間関係特性その他を含む。加えて、これらの属性タイプに従って、キー特性と連絡先属性の間の対応関係が設定される。本発明の実施形態では、ステップS101の前にステップS201が実施される一例が使用される。しかし、実際の適用では、このステップがステップS103の前に実施される限り適当である。
【００５８】
ステップS101：連絡先により送信されたメディア情報を受信する。
【００５９】
ステップS102：メディア情報のキー特性を抽出する。
【００６０】
ある可能な実施様式では、メディア情報が通信プロセス中に送信された音声情報を含むとき、音声信号の周波数がキー特性として抽出され、それは、具体的に、まず、具体的な周波数を使用して音声信号のサンプリングおよび量子化を実施し、高域フィルタリングを用いてプリエンファシスを実施し、次いで、特性の急激な変化を避けるために音響フレームを取り出し、低域フィルタリングを用いてノイズを除去し、次いで、事前処理された音声情報をFTを用いて音声信号に変換し、音声信号の周波数をキー特性として抽出することを含む。別の可能な実施様式では、高速フーリエ変換（Fast Fourier Transformation、FFT）が入力信号に関して実施され、キー特性が入力信号から抽出されるか、または、キー特性を計算するために使用される線形予測係数もしくは線形予測ケプストラム係数などの予測係数が抽出され、次いで、別の離散点についてキー特性が予測される。
【００６１】
メディア情報が通信プロセス中に送信されたテキスト情報を含むとき、テキスト情報中のキーワード、例えば高い頻度で出現する語がキー特性として抽出され、それは、具体的に、後続の一様な処理、分類および分析を容易にするために元のテキストを同じフォーマットにフォーマット化し、テキストを句に従って分解し、例えば、節中の幾つかの連続語を1つの句として認識し、次いで、分解された句に従って句頻度分析を実施することを含む。メディア情報が通信プロセス中の画像情報を含むとき、連絡先により送信された画像情報の色特性、テクスチャ特性、形状特性、および空間関係特性のうちの1つ以上がキー特性として抽出され、それは、具体的に、アルゴリズム要件を満たすために画像を非ブロック化またはエッジを補足し、次いで、画像のキー特性を抽出するためにFT、最小自乗法、およびヒストグラム法などの画像特性抽出アルゴリズムを使用することを含み、一例としてヒストグラム法を使用して後述すると、画像の全ての画素を循環的に走査し、1つの画素を取り出し、画素のグレースケール値を得、全ての画素が走査されるまでグレースケール値による累積集計を実施し、グレースケール値の範囲（0−255）を底の長さとして使用し、各グレースケールの出現回数を高さとして使用してヒストグラムを形成し、ヒストグラムの分析により画像の色特性を得ることを含む。
【００６２】
ステップS103：キー特性と連絡先属性の間の事前記憶された対応関係に従って、メディア情報のキー特性に対応する連絡先属性が存在するかどうかを検索する。
【００６３】
ある可能な実施様式では、音声信号の周波数に従って、およびキー特性と連絡先属性の間の事前記憶された、性別モードライブラリ、年齢モードライブラリ、およびアクセントモードライブラリなどの対応関係に基づいて、メディア情報のキー特性に対応する、連絡先の性別、年齢範囲、またはアクセントなどの連絡先属性が存在するかどうかが検索される。
【００６４】
テキスト情報中のキーワードに従って、およびキー特性と連絡先属性の間の事前記憶された対応関係に基づいて、メディア情報のキー特性に対応する、連絡先の趣味または習慣などの連絡先属性が存在するかどうかが検索される。
【００６５】
色特性、テクスチャ特性、形状特性、および空間関係特性のうちの1つ以上などの画像情報のキー特性に従って、メディア情報のキー特性に対応する連絡先属性が存在するかどうかが検索される。例えば、モードライブラリに従って、画像は、具体的な属性タイプとマッチングされる。例えば、旅行者タイプおよび食道楽タイプなどの異なる属性は、連絡先の趣味または習慣などの属性に対応する。
【００６６】
ステップS104：メディア情報のキー特性に対応する連絡先属性が存在する場合、見出された連絡先属性に従って、属性に対応するグループに連絡先をグルーピングする。ある可能な実施様式では、以下のステップがさらに含まれる。
【００６７】
ステップS202：メディア情報のキー特性に対応する連絡先属性が見出されない場合、メディア情報のキー特性と連絡先属性との間の対応関係を作成する。
【００６８】
新たな対応関係が作成され、次いで、ステップS103からS104が再び実施される。
【００６９】
キー特性と連絡先属性の間の事前記憶された対応関係に従って連絡先属性を決定できないとき、キー特性と連絡先属性の間の新たな対応関係が設定される。例えば、事前記憶されたアクセントモードライブラリに従って連絡先のエリアを決定できないとき、連絡先のアクセントと連絡先のエリアとの対応関係がユーザ選択に従って決定され、新たに設定された対応関係は、後続のグルーピングを容易にするために、キー特性と連絡先属性の間の事前記憶された対応関係に加えられる。
【００７０】
連絡先は、性別、年齢、趣味、または習慣などの連絡先の属性に従って対応するグループにグルーピングされる。ユーザは、グループに従って情報の正確な配送を実施し得る。例えば、ユーザが友人をアクティビティに招待したいとき、ユーザは、分類された連絡先特性に従ってスクリーニングを実施し得、例えば、アクティビティに参加するための同じ年齢範囲かつ同じ趣味の連絡先を選択し得る。
【００７１】
このようにして、対応関係に基づいてキー特性と連絡先属性の間の対応関係が事前記憶され、連絡先属性は、通信プロセス中のメディア情報のキー特性に従って決定され、さらに、連絡先が、連絡先属性に従って対応するグループにグルーピングされる。本発明の実施形態の連絡先グルーピング方法によると、各種の通信ツールまたは通信アプリケーションのアドレス帳内の連絡先を自動かつ正確にグルーピングすることができ、ユーザが情報を一括送信または共有するために通信ツールまたはアプリケーションを使用するとき、対象グループ内の連絡先をグループに従って的確に選択することによって、間違った情報の配送、情報の氾濫、および対象となる連絡先以外に関するトラフィックの浪費を回避することができる。
【００７２】
キー特性と連絡先の間の事前記憶された対応関係に従って連絡先属性を決定できないとき、キー特性と連絡先属性の間の新たな対応関係が設定され、新たに設定された対応関係は、キー特性と連絡先属性の間の事前記憶された対応関係にグルーピングされる。本発明の実施形態の連絡先グルーピング方法によると、キー特性が既存の対応関係にマッチングできないとき、後続のグルーピングを容易にするために、キー特性と連絡先属性の間の対応関係をユーザ選択に従って作成することができる。
【００７３】
図3は、本発明のある実施形態による連絡先グルーピング装置の概略構成図を示す。図3に示すように、装置10は、受信モジュール110、抽出モジュール120、検索モジュール130、およびグルーピングモジュール140を含む。
【００７４】
受信モジュール110は、連絡先により送信されたメディア情報を受信するように構成される。具体的なステップは、前述のステップS101と同じであり、本明細書では詳細について再び記述しない。
【００７５】
抽出モジュール120は、受信モジュール110に接続され、メディア情報のキー特性を抽出するように構成される。具体的なステップは、前述のステップS102と同じであり、本明細書では詳細について再び記述しない。
【００７６】
検索モジュール130は、抽出モジュール120に接続され、キー特性と連絡先属性の間の事前記憶された対応関係に従って、メディア情報のキー特性に対応する連絡先属性が存在するかどうかを検索するように構成される。具体的なステップは、前述のステップS103と同じであり、本明細書では詳細について再び記述しない。
【００７７】
グルーピングモジュール140は、検索モジュール130に接続され、メディア情報のキー特性に対応する連絡先属性が存在することを検索モジュール130が見出したとき、見出された連絡先属性に従って属性に対応するグループに連絡先をグルーピングするように構成される。具体的なステップは、前述のステップS104と同じであり、本明細書では詳細について再び記述しない。
【００７８】
ある可能な実施様式では、受信モジュール110により受信されたメディア情報は音声情報を含み、連絡先属性は、趣味および習慣のうちの少なくとも1つを含み、抽出モジュール120は、具体的に、音声情報中のキーワードをメディア情報のキー特性として抽出するように構成される。
【００７９】
別の可能な実施様式では、図4に示すように、受信モジュール110により受信されたメディア情報は音声情報を含み、連絡先属性は、性別、年齢範囲、およびアクセントのうちの少なくとも1つを含み、抽出モジュール120は、音声情報を音声信号に変換するように構成された変換ユニット1201と、音声信号の周波数をメディア情報のキー特性として抽出するように構成された周波数抽出ユニット1202とを含む。
【００８０】
ある可能な実施様式では、受信モジュール110により受信されたメディア情報はテキスト情報を含み、連絡先属性は、趣味および習慣のうちの少なくとも1つを含み、抽出モジュール120は、具体的に、テキスト情報中のキーワードをメディア情報のキー特性として抽出するように構成される。
【００８１】
ある可能な実施様式では、受信モジュール110により受信されたメディア情報は画像情報を含み、連絡先属性は、趣味および習慣のうちの少なくとも1つを含み、抽出モジュール120は、具体的に、画像情報の色特性、テクスチャ特性、形状特性、および空間関係特性のうちの1つ以上をメディア情報のキー特性として抽出するように構成される。
【００８２】
このようにして、対応関係に基づいてキー特性と連絡先属性の間の対応関係が事前記憶され、連絡先属性は、通信プロセス中のメディア情報のキー特性に従って決定され、さらに、連絡先が、連絡先属性に従って対応するグループにグルーピングされる。本発明の実施形態の連絡先グルーピング装置によると、各種の通信ツールまたは通信アプリケーションのアドレス帳内の連絡先を自動かつ正確にグルーピングすることができ、ユーザが情報を一括送信または共有するために通信ツールまたはアプリケーションを使用するとき、対象グループ内の連絡先をグループに従って的確に選択することによって、間違った情報の配送、情報の氾濫、および対象となる連絡先以外に関するトラフィックの浪費を回避することができる。
【００８３】
図4は、本発明の別の実施形態による連絡先グルーピング装置の概略構成図である。図3中の構成要素と同じ参照数字を伴う、図4中の構成要素は同じ機能を有しており、簡潔さのために、それらの構成要素の詳細な説明を省略する。図4に示すように、ある可能な実施様式では、装置10は、設定モジュール150をさらに含む。
【００８４】
設定モジュール150は、検索モジュール130に接続され、検索モジュール130がメディア情報のキー特性に対応する連絡先属性が存在するかどうかを検索する前に、キー特性と連絡先属性の間の対応関係を設定するように構成される。具体的なプロセスは、ステップS201と同様であり、本明細書では詳細について再び記述しない。
【００８５】
ある可能な実施様式では、装置10は、作成モジュール160をさらに含む。
【００８６】
作成モジュール160は、検索モジュール130に接続され、メディア情報のキー特性に対応する連絡先属性が存在しないことを検索モジュールが見出したときに、メディア情報のキー特性と連絡先属性との間の対応関係を作成するように構成される。具体的なプロセスは、前述のステップS202と同様であり、本明細書では詳細について再び記述しない。
【００８７】
このようにして、対応関係に基づいてキー特性と連絡先属性の間の対応関係が事前記憶され、連絡先属性は、通信プロセス中のメディア情報のキー特性に従って決定され、さらに、連絡先が、連絡先属性に従って対応するグループにグルーピングされる。本発明の実施形態の連絡先グルーピング装置によると、各種の通信ツールまたは通信アプリケーションのアドレス帳内の連絡先を自動かつ正確にグルーピングすることができ、ユーザが情報を一括送信または共有するために通信ツールまたはアプリケーションを使用するとき、対象グループ内の連絡先をグループに従って的確に選択することによって、間違った情報の配送、情報の氾濫、および対象となる連絡先以外に関するトラフィックの浪費を回避することができる。
【００８８】
キー特性と連絡先の間の事前記憶された対応関係に従って連絡先属性を決定できないとき、キー特性と連絡先属性の間の新たな対応関係が設定され、新たに設定された対応関係は、キー特性と連絡先属性の間の事前記憶された対応関係にグルーピングされる。本発明の実施形態の連絡先グルーピング装置によると、キー特性が既存の対応関係にマッチングできないとき、後続のグルーピングを容易にするために、キー特性と連絡先属性の間の対応関係をユーザ選択に従って作成することができる。
【００８９】
図5は、本発明の別の実施形態による連絡先グルーピング装置の概略構成図を示す。連絡先グルーピング装置1100は、演算能力を有するホストサーバまたはパーソナルコンピュータPC、携帯型コンピュータまたは端末その他であり得る。本発明の具体的な実施形態は、演算ノードの具体的な実施に関していかなる限定も定めない。
【００９０】
連絡先グルーピング装置1100は、プロセッサ1110、通信インターフェイス1120、メモリ1130、およびバス1140を含む。プロセッサ1110、通信インターフェイス1120、およびメモリ1130は、バス1140を使用して相互通信を完成する。
【００９１】
通信インターフェイス1120は、ネットワークデバイスと通信するように構成され、ここで、ネットワークデバイスは、仮想のマシン管理センター、共有メモリその他を含む。
【００９２】
プロセッサ1110は、プログラムを実行するように構成される。プロセッサ1110は、本発明の実施形態を実施するように構成された、中央処理装置CPU、または特定用途向け集積回路ASIC（Application Specific Integrated Circuit）、または1つ以上の集積回路であり得る。
【００９３】
メモリ1130は、ファイルを記憶するように構成される。メモリ1130は、高速RAMを含み得、少なくとも1つのディスクメモリなどの不揮発性メモリをさらに含み得る。メモリ1130は、メモリアレイであってもよい。メモリ1130は、ブロックに区分され得、ブロックは、指定ルールに従って仮想ボリュームに統合され得る。
【００９４】
ある可能な実施様式では、前述のプログラムは、コンピュータ動作命令を含むプログラムコードであり得る。プログラムは、具体的に、
連絡先により送信されたメディア情報を受信し、
メディア情報のキー特性を抽出し、
キー特性と連絡先属性の間の事前記憶された対応関係に従って、メディア情報のキー特性に対応する連絡先属性が存在するかどうかを検索し、
メディア情報のキー特性に対応する連絡先属性が存在する場合に、連絡先属性に対応するグループに連絡先をグルーピングするために使用され得る。
【００９５】
ある可能な実施様式では、メディア情報は音声情報を含む。
【００９６】
ある可能な実施様式では、連絡先属性は、性別、年齢範囲、およびアクセントのうちの少なくとも1つを含み、メディア情報のキー特性を抽出するステップは、音声情報を音声信号に変換し、音声信号の周波数をメディア情報のキー特性として抽出することを含む。
【００９７】
ある可能な実施様式では、連絡先属性は、趣味および習慣のうちの少なくとも1つを含み、メディア情報のキー特性を抽出するステップは、音声情報中のキーワードをメディア情報のキー特性として抽出することを含む。
【００９８】
ある可能な実施様式では、メディア情報はテキスト情報を含み、連絡先属性は、趣味および習慣のうちの少なくとも1つを含み、メディア情報のキー特性を抽出するステップは、テキスト情報中のキーワードをメディア情報のキー特性として抽出することを含む。
【００９９】
ある可能な実施様式では、メディア情報は画像情報を含み、連絡先属性は、趣味および習慣のうちの少なくとも1つを含み、メディア情報のキー特性を抽出するステップは、画像情報の色特性、テクスチャ特性、形状特性、および空間関係特性のうちの1つ以上をメディア情報のキー特性として抽出することを含む。
【０１００】
ある可能な実施様式では、メディア情報のキー特性に対応する連絡先属性が存在するかどうかを検索するステップの前に、プログラムは、
キー特性と連絡先属性の間の対応関係を設定するためにさらに使用される。
【０１０１】
ある可能な実施様式では、プログラムは、
メディア情報のキー特性に対応する連絡先属性が見出されない場合に、メディア情報のキー特性と連絡先属性との間の対応関係を作成するためにさらに使用される。
【０１０２】
当業者は、本明細書に記述する実施形態の例示的なユニットおよびアルゴリズムステップが、電子ハードウェアまたはコンピュータソフトウェアと電子ハードウェアの組合せにより実施されてもよいことに気付き得る。機能がハードウェアにより実施されるかソフトウェアにより実施されるかは、技術的解決策の個々の適用および設計制約条件に依存する。当業者は、個々の適用について記述した機能を実施するために異なる方法を選択してもよいが、実施が本発明の範囲を超えるとみなされるべきではない。
【０１０３】
機能がコンピュータソフトウェアにより実施され、独立した製品として販売または使用される場合、多かれ少なかれ本発明の技術的解決策の全体または部分（先行技術に寄与する部分など）がコンピュータソフトウェア製品により具現化されるとみなされ得る。コンピュータソフトウェア製品は、一般にコンピュータ読み取り可能な不揮発性の記憶媒体に記憶され、本発明の実施形態に記述した方法のステップの全てまたは一部を実施するために、コンピュータデバイス（パーソナルコンピュータ、サーバ、またはネットワークデバイスその他であり得る）その他に命令するための幾つかの命令を含む。前述の記憶媒体は、USBフラッシュドライブ、リムーバブルハードディスク、リードオンリーメモリ（ROM、Read−Only Memory）、ランダムアクセスメモリ（RAM、Random Access Memory）、磁気ディスク、または光ディスクなど、プログラムコードを記憶できる任意の媒体を含む。
【０１０４】
前述の説明は、本発明の単なる具体的な実施様式であり、本発明の保護範囲を限定することを意図していない。当業者により容易に理解される、本発明の開示される技術範囲内の任意の変形または置換は、本発明の保護範囲に属するものである。したがって、本発明の保護範囲は、請求項の保護範囲の対象となるものである。
【符号の説明】
【０１０５】
10  連絡先グルーピング装置
110  受信モジュール
120  抽出モジュール
130  検索モジュール
140  グルーピングモジュール
150  設定ユニット
160  作成ユニット
500  ユーザ端末
510  RF回路
520  メモリ
530  入力ユニット
531  タッチパネル
532  別の入力デバイス
540  表示ユニット
541  表示パネル
550  センサ
560  オーディオ回路
561  スピーカ
562  マイクロフォン
570  WiFiモジュール
580  プロセッサ
590  カメラ
1100  連絡先グルーピング装置
1110  プロセッサ
1120  通信インターフェイス
1130  メモリ
1140  バス
1201  変換ユニット
1202  周波数抽出ユニット
【図１】
0006311194.tif 000002
【図２】
0006311194.tif 000003
【図３】
0006311194.tif 000004
【図４】
0006311194.tif 000005
【図５】
0006311194.tif 000006
【図６】
0006311194.tif 000007